(57)【特許請求の範囲】
【請求項１】
筒状を呈する元節と、
当該元節の後端部の内側に着脱自在に設けられる尻栓とを有し、
当該尻栓は、
前端及び後端を有し、前端側から上記元節の内周面に螺合し当該元節に内嵌される栓本体と、
当該栓本体の後端に一体的に上記元節の後方に延びるように突設され、上記栓本体が上記元節に螺合した状態で当該栓本体と共に上記元節の内部に収容される指掛部と、を備えた釣竿。
【請求項２】
上記元節は、上記栓本体が螺合された元節本体と、当該元節本体を被覆し且つ当該元節本体から後方に延出する筒状のグリップ部材とを備え、
上記指掛部が上記元節本体よりも後方に突出している、請求項１に記載の釣竿。
【請求項３】
上記栓本体は、上記栓本体の後端に形成されたフランジを有し、
上記フランジが、上記元節本体の後端に当接している、請求項２に記載の釣竿。
【請求項４】
上記指掛部は、後面及び側面を有し、後面が後方へ滑らかに湾曲し、且つ側面が上記元節の径方向内向きから漸次後方へ滑らかに湾曲して延びている半円形の板部材である、請求項１から３のいずれかに記載の釣竿。
【発明の詳細な説明】
【技術分野】
【０００１】
本発明は、尻栓が装着された釣竿の構造に関する。
【背景技術】
【０００２】
一般に釣竿は、外径が異なる複数のブランクから構成されており、各ブランクは「節」と称される。穂先を構成する節の外径は最も小さく、当該節は「第１番節」と称され、この第１番節に隣り合う節は「第２番節」と称される。同様に、第２番節に隣り合う節は第３番節と称され、順に第４番節、第５番節等と称される。各節の外径は、第１番節から順に大きくなり、最も外径が大きい節は特に「元節」と称され、元節に隣り合う節は特に「元上節」と称されることもある。元節は、釣人が把持する節であり、釣人が元節を握りやすいようにグリップを備えている。釣用リールが装着される場合には、リールシートが元節に設けられる。元節の後端に尻栓が設けられており、各節への浸水又は塵の進入等が防止されている。
【０００３】
尻栓は、元節の後端部に取り付けられる。具体的には、元節の内周面に雌ネジが形成されると共に、尻栓の外周面に雄ネジが形成され、尻栓が元節に螺合されるようになっている。釣人は、尻栓を操作して元節の後端部に装着するが、尻栓の取付形態として、本体回転式およびコイン式が知られている。
【０００４】
本体回転式では（たとえば特許文献１参照）、元節の後端部に尻栓の外周面が露出する。このため、実釣において竿尻が釣人の身体と接触し、尻栓が元節に対して緩んでしまい、場合によっては元節から尻栓が脱落するおそれがあった。かかる不都合を解消するため、コイン式では（たとえば特許文献２参照）、尻栓は元節の後端に埋め込まれるように装着される。具体的には、尻栓の後面にコイン溝（着脱用の器具としてのコインが係合される）が形成され、釣人は、コイン溝にコインを係合させて尻栓を回転させることによって、元節に尻栓をねじ込むことができる。コイン式では、尻栓が元節に埋め込まれるので、実釣において尻栓が緩むことがない。
【先行技術文献】
【特許文献】
【０００５】
【特許文献１】特開２０１２−１３０２８１号公報
【特許文献２】特開２０１２−２１７３８０号公報
【発明の概要】
【発明が解決しようとする課題】
【０００６】
しかしながら、コイン式では、尻栓の着脱作業にコインが必要であり、釣人にとって煩雑な作業であった。また、釣人がコインを尻栓に係合させて着脱作業をすると、特に尻栓を取り外した際に尻栓がコインから脱落し、紛失するおそれがあった。
【０００７】
本発明は係る背景のもとになされたものであり、その目的は、着脱用の器具を用いることなく元節に対して容易に着脱でき、且つ、元節に対して緩みにくい尻栓を有する釣竿を提供することである。
【課題を解決するための手段】
【０００８】
(1) 本発明に係る釣竿は、筒状を呈する元節と、当該元節の後端部の内側に着脱自在に設けられる尻栓とを有し、当該尻栓は、前端及び後端を有し、前端側から上記元節の内周面に螺合し当該元節に内嵌される栓本体と、当該栓本体の後端に一体的に上記元節の後方に延びるように突設され、上記栓本体が上記元節に螺合した状態で当該栓本体と共に上記元節の内部に収容される指掛部とを備える。
【０００９】
この構成によれば、尻栓の栓本体及び指掛部が元節の内部に挿入されるので、尻栓の外周面が露出しない。このため、実釣において尻栓の外周面が釣人の身体と接触せず、尻栓が緩みにくい。しかも、上記指掛部も元節に収容されるから、尻栓の緩みが確実に防止される。他方、尻栓が上記指掛部を有するので、元節の内部に尻栓が挿入されていても、釣人は、元節の内部に２本の指を挿入して上記指掛部を挟むことができる。このため、釣人は、指掛部を回転させることによって、尻栓を元節に対して容易に着脱できる。
【００１０】
(2) 上記元節は、上記栓本体が螺合された元節本体と、当該元節本体を被覆し且つ当該元節本体から後方に延出する筒状のグリップ部材とを備え、上記指掛部が上記元節本体よりも後方に突出しているのが、好ましい。
【００１１】
この構成によれば、グリップ部材が設けられているので、釣人は当該釣竿を把持しやすく、容易に釣竿を操作することができる。また、尻栓の指掛部が元節本体から突出する構造であるから、尻栓の栓本体のみが元節に挿入される。このため、元節の外径が必要以上に大きくなることがなく、元節の製造コストの上昇が抑えられる。しかも、元節から突出した指掛部はグリップ部材の内部に配置されるから、当該指掛部及び当該尻栓の外周面は、実釣において釣人の身体と接触することがない。したがって、尻栓の緩みが確実に防止されると共に、釣人は、グリップ部材の内部に指を挿入して上記指掛部を回転させることによって、尻栓を元節に対して容易に着脱できる。
【００１２】
(3) 上記栓本体は、上記栓本体の後端に形成されたフランジを有し、上記フランジが、上記元節本体の後端に当接しているのが、好ましい。
【００１３】
この構成によれば、フランジが元節本体の後端に当接しているので、尻栓の前方への移動が制止される。したがって、尻栓の位置決めが容易である。また、フランジによって元節本体の後端面が被覆されるので、元節の後端部のデザインも洗練される。
【００１４】
(4) 上記指掛部は、後面及び側面を有し、後面が後方へ滑らかに湾曲し、且つ側面が上記元節の径方向内向きから漸次後方へ滑らかに湾曲して延びている半円形の板部材であるのが、好ましい。
【００１５】
この構成によれば、尻栓は、単一の部品から構成される。したがって、指掛部における外力に対する機械的強度が向上する。しかも、尻栓がシンプルな構造となるから、尻栓の製造コストの上昇も抑制される。
【発明の効果】
【００１６】
本発明によれば、釣人は、コイン等の着脱用の器具を用いることなく尻栓を元節に対して簡単に着脱できる。しかも、尻栓は、元節に対して緩みにくい。
【図面の簡単な説明】
【００１７】
【図１】図１は、本発明の実施形態に係る釣竿の側面図である。
【図２】図２は、本発明の実施形態に係る釣竿の元節の後端部の縦断面図である。
【図３】図３は、図２の要部拡大図である。
【図４】図４は、本発明の実施形態に係る釣竿の尻栓の分解斜視図である。
【図５】図５は、本発明の実施形態に係る釣竿の尻栓の栓本体及び指掛部の後面図である。
【図６】図６は、本発明の実施形態に係る釣竿の尻栓の栓本体及び指掛部の前面図である。
【図７】図７は、図６のＶＩＩ−ＶＩＩ断面図である。
【図８】図８は、図６のＶＩＩＩ−ＶＩＩＩ断面図である。
【図９】図９は、本発明の実施形態に係る釣竿の尻栓の製造方法を示す図であり、特に、図９（ａ）は素材となる柱状体を示し、図９（ｂ）は後形成工程を示す。
【図１０】図１０は、本発明の実施形態に係る釣竿の尻栓の製造方法を示す図であり、特に、図１０（ａ）は前形成工程を示し、図１０（ｂ）は穿孔工程を示し、図１０（ｃ）は切削工程を示す。
【発明を実施するための形態】
【００１８】
以下、適宜図面が参照されつつ、好ましい実施形態に基づいて本発明が詳細に説明される。
【００１９】
［本実施形態に係る釣竿２０の構成］
【００２０】
図１は、本発明の実施形態に係る尻栓２９を備えた釣竿２０の側面図である。この釣竿２０は、外径の異なる５つのブランク２１〜２５からなり、いわゆる振出式に組み立てられている。各ブランク２１〜２５は、「節」と称され、外径の細い順に第１番節２１〜第５番節２５と称される。第１番節は、穂先を構成する節であり、その外径は最も小さい。第５番節２５は、特に「元節」と称され、元節に隣り合う第４番節２４は、特に「元上節」と称される。本実施形態では、釣竿２０は、いわゆる延べ竿と称されるもので、たとえば渓流用として使用される。
【００２１】
各節２１〜２５は、既知の要領で構成される。たとえば、カーボンプリプレグが所定形状に裁断され、これが筒状に巻回され且つ熱処理がなされることによって、円筒状の節２１〜２５が焼成される。第１番節２１は、第２番節２２の内部に引き出し自在に収納されている。この第１番節２１の先端には、釣糸が連結されるトップ部材２６が設けられている。このトップ部材２６の構成は、既知であるので、その詳しい説明は省略される。
【００２２】
第１番節２１は、全体としてテーパー状に形成されており、その先端部の外径よりも後端部の外径の方が大きくなるように形成されている。また、第１番節２１の後端径は、第２番節２２の先端径よりも大きく設定されている。したがって、第１番節２１が第２番節２２から引き出された際に、第１番節２１の後端部分が第２番節２２の先端部分と所定寸法だけオーバーラップした状態でかみ合って（内嵌して）おり、これにより、両者が固定されるようになっている。なお、第２番節２２と第３番節２３との関係、第３番節２３と元上節２４との関係、及び元上節２４と元節２５との関係も、第１番節２１と第２番節２２との関係と同様である。
【００２３】
図２は、元節２５の後端部２５ａの縦断面図である。また、図３は、図２の要部拡大図である。図２、図３に示されるように、元節２５は、円筒状の元節本体２７と、元節本体２７を被覆する円筒状のグリップ部材２８とを備えている。グリップ部材２８は、元節本体２７から後方に延出している。元節２５の後端部２５ａ、より詳しくは元節本体２７の後端部には、尻栓２９が設けられている。
【００２４】
尻栓２９は、当該尻栓２９の軸心が元節２５の軸心と一致するように、元節２５に取り付けられる。両者の軸心の方向は、元節２５の軸方向及び尻栓２９の軸方向と一致する。この軸方向には、符号３４が付されている。また、元節２５の径方向と尻栓２９の径方向も一致しており、特に、径方向のうちの互いに直交する２つの径方向を用いて、尻栓２９の姿勢が規定される。これらの２つの径方向は、第１径方向３５（図２から図４、図８）と、第１径方向３５に直交する第２径方向３６（図４から図７）とである。
【００２５】
図４は、尻栓２９の分解斜視図である。図３、図４に示されるように、尻栓２９は、栓本体３０と、指掛部４０と、当接板５０と、Ｏリング３７とを備える。栓本体３０は、前端３０ａ及び後端３０ｂを有する。指掛部４０は、栓本体３０の後端３０ｂに突設されている。栓本体３０及び指掛部４０は、一体的に形成されている。当接板５０は、栓本体３０の前端３０ａに設けられている。詳しくは後述するが、第１径方向３５は、軸方向３４と直交する方向において、指掛部４０が延びている方向である。なお、図４において、当接板５０は、栓本体３０及び指掛部４０から分離されている。
【００２６】
栓本体３０は、筒体３１と、フランジ３２と、を備える。したがって、栓本体３０は、内周面３３を有する。筒体３１の外径は、元節２５の内径（元節本体２７の内径）に対応している。フランジ３２は、筒体３１の後端に形成されている。筒体３１は、図３が示すように、元節２５に挿入可能である。
【００２７】
図３、図４が示すように、筒体３１の外周面に、雄ネジ３１ａと、周溝３１ｂとが形成されている。周溝３１ｂは筒体３１の後端部に位置し、Ｏリング３７が装着されている。雄ネジ３１ａは、筒体３１の前端から後方に向けて周溝３１ｂまで形成されている。元節本体２７の後端部の内周面に雌ネジ２７ａが形成されている。そのため、栓本体３０は、元節２５の後端部２５ａに、軸方向３４に沿って前方（図３において左方）に螺合して、元節２５に内嵌される。したがって、尻栓２９は元節２５に着脱自在に設けられている。
【００２８】
当接板５０は、円盤状の板本体５１と、円柱状の挿入部５２とを備える。挿入部５２は、板本体５１の後端の中央部から後方（図３において右方）に延びる。挿入部５２は、栓本体３０の筒体３１の内部に挿入されている。より詳しくは、挿入部５２の外周面が筒体３１の内周面３３に当接し、板本体５１の後端面５１ａが筒体３１の前端３０ａに当接している。当接板５０は、たとえば接着剤を用いて筒体３１に固定される。また、当接板５０は、好ましくは、弾性材料によって構成される。
【００２９】
図３が示すように、尻栓２９が元節２５に取り付けられている状態では、当接板５０が元節２５の後端部２５ａの内部に位置する。したがって、釣竿２０が収納状態とされたとき（すなわち、第１番節２１〜元上節２４が元節２５内に収納されたとき）、第１番節２１〜元上節２４のそれぞれの後端面は、当接板５０に当接するようになっている。
【００３０】
尻栓２９と、元節本体２７及びグリップ部材２８を有する元節２５との位置関係が説明される。栓本体３０が元節本体２７に螺合されることによって、指掛部４０は、栓本体３０と共に元節２５の内部に挿入される。この結果、図３が示すように、栓本体３０のフランジ３２が元節本体２７の後端２７Ｐに当接する。以下、この状態が、尻栓２９の取付状態である。この取付状態では、尻栓２９の全体が元節２５の内部に配置され、指掛部４０が元節本体２７よりも後方に突出している。
【００３１】
図３が示すように、グリップ部材２８は元節本体２７から後方に延出しているので、グリップ部材２８の後端２８Ｐは、元節本体２７の後端２７Ｐよりも後方に位置する。そのため、元節本体２７の本体内部空間２７Ｓよりも、グリップ部材２８のグリップ内部空間２８Ｓの方が、径方向外側に拡がっている。上記取付状態では、指掛部４０は、径方向外側に拡がった元節２５の内部空間、すなわちグリップ内部空間２８Ｓ内に位置している。
【００３２】
図４〜図８を参照して、尻栓２９の指掛部４０がより詳しく説明される。図５は、尻栓２９の栓本体３０及び指掛部４０の後面図である。図６は、尻栓２９の栓本体３０及び指掛部４０の前面図である。図７は、図６のＶＩＩ−ＶＩＩ断面図である。図８は、図６のＶＩＩＩ−ＶＩＩＩ断面図である。
【００３３】
図４、図５、図７及び図８に示されるように、指掛部４０は、元節２５の後方に延びる板部材である。図４、図８が示すように、指掛部４０の形状は、第２径方向３６から見て、半円形である。また、図４、図５、図７が示すように、指掛部４０の形状は、第２径方向３６から見て、末広がりの板状である。
【００３４】
指掛部４０は、後面４１、前面４２、及び一対の側面４３を備える。後面４１及び前面４２は、軸方向３４において互いに表裏の位置にある。一対の側面４３は、第２径方向３６において互いに表裏の位置にある。
【００３５】
図４、図５が示すように、後面４１は、滑らかに湾曲した曲面である。後方から見たときの後面４１の形状は、Ｉ字状である。後面４１は、指掛部４０の外面のうち、後方に面する部分と、第１径方向３５の両向きに面する部分とを含んでいる。一方、前面４２は、図６から図８が示すように、軸方向３４に対して垂直な平面である。前方から見たときの前面４２の形状は、円形である。
【００３６】
図５、図７が示すように、側面４３は、第１径方向３５と平行に延びる面である。図７に示されるように、第１径方向３５から見て、側面４３は、第２径方向３６の内向き（図７における第２径方向３６の左向き）から、漸次後方へと滑らかに湾曲しながら延びている。第２径方向３６は、指掛部４０が延びている第１径方向３５に直交する方向である。
【００３７】
図４、図７に示されるように、側面４３は、境界線４５を境として、フランジ３２の後面３２ａから区分されている。また、側面４３は、境界線４６を境として、２つの部分、すなわち湾曲面部４３ａと平面部４３ｂとに区分されている。平面部４３ｂは、湾曲面部４３ａよりも後方に位置する平面である。２つの境界線４５、４６は、共に、軸方向３４と直交する方向に沿って延びる線であって、第１径方向３５と平行な線であり、フランジ３２の後面３２ａ及び側面４３における曲率の変更位置を示している。つまり、フランジ３２の後面３２ａは平面であり、湾曲面部４３ａは曲面である。また、湾曲面部４３ａは境界線４５を介してフランジ３２の後面３２ａに滑らかに接続され、平面部４３ｂは、境界線４６を介して湾曲面部４３ａに滑らかに接続されている。なお、境界線４５、４６はなくてもよい。すなわち、側面４３の全体が滑らかな曲面に形成されてもよい。
【００３８】
［本実施形態に係る釣竿の作用、効果］
【００３９】
本実施形態に係る釣竿２０によれば、尻栓２９の栓本体３０及び指掛部４０が元節２５の内部に挿入されるので、尻栓２９の外周面が露出しない。このため、実釣において尻栓２９の外周面が釣人の身体と接触せず、尻栓２９が緩みにくい。しかも、上記指掛部４０も元節２５に収容されるから、尻栓２９の緩みが確実に防止される。他方、尻栓２９が上記指掛部４０を有するので、元節２５の内部に尻栓２９が挿入されていても、釣人は、元節２５の内部に２本の指を挿入して上記指掛部４０を挟むことができる。このため、釣人は、指掛部４０を回転させることによって、尻栓２９を元節２５に対して容易に着脱できる。
【００４０】
上記釣竿２０によれば、グリップ部材２８が設けられているので、釣人は当該釣竿２０を把持しやすく、容易に釣竿２０を操作することができる。また、尻栓２９の指掛部４０が元節本体２７から突出する構造であるから、尻栓２９の栓本体３０のみが元節２５に挿入される。このため、元節２５の外径が必要以上に大きくなることがなく、元節２５の製造コストの上昇が抑えられる。しかも、元節２５から突出した指掛部４０はグリップ部材２８の内部に配置されるから、当該指掛部４０及び当該尻栓２９の外周面は、実釣において釣人の身体と接触することがない。したがって、尻栓２９の緩みが確実に防止されると共に、釣人は、グリップ部材２８の内部に指を挿入して上記指掛部４０を回転させることによって、尻栓２９を元節２５に対して容易に着脱できる。
【００４１】
上記釣竿２０によれば、フランジ３２が元節本体２７の後端２７Ｐに当接しているので、尻栓２９の前方への移動が制止される。したがって、尻栓２９の位置決めが容易である。また、フランジ３２によって元節本体２７の後端面が被覆されるので、元節２５の後端部２５ａのデザインも洗練される。
【００４２】
上記釣竿２０によれば、尻栓２９が、単一の部品から構成されている。したがって、指掛部４０における外力に対する機械的強度が向上する。しかも、尻栓２９がシンプルな構造となるから、尻栓２９の製造コストの上昇も抑制される。
【００４３】
［釣竿２０の変形例］
【００４４】
本実施形態に係る釣竿２０では、図２、図３が示すように、指掛部４０の後端４０Ｐが、元節２５の後端（グリップ部材２８の後端２８Ｐ）よりも前方に位置している。尻栓２９は、指掛部４０の後端４０Ｐが元節２５の後端（グリップ部材２８の後端２８Ｐ）と一致するように、元節２５に設けられてもよい。また、尻栓２９の外周面が露出しなければよいので、栓本体３０が元節２５の内部に挿入されていれば、指掛部４０の一部が元節２５の後端よりも突出していてもよい。
【００４５】
本実施形態に係る釣竿２０の元節２５では、元節本体２７にグリップ部材２８が設けられている。元節２５において、元節本体２７にグリップ部材２８が設けられていなくてもよい。この場合、栓本体３０及び指掛部４０が元節本体２７の内部に挿入される。上述したように、尻栓２９の外周面が露出しない限り、指掛部４０の一部が元節本体２７から後方に延出していてもよい。なお、この場合、フランジ３２も元節本体２７内に挿入されるように構成されるか、あるいは、フランジ３２が栓本体３０に設けられない。
【００４６】
［尻栓２９の製造方法］
【００４７】
次に、図９、図１０を参照して、尻栓２９の製造方法が説明される。図９、図１０は、尻栓２９の製造方法を示す図である。図９（ａ）は素材となる柱状体を示し、同図（ｂ）は後形成工程を示す。図１０（ａ）は前形成工程、同図（ｂ）（ｃ）はそれぞれ穿孔工程及び切削工程を示す。
【００４８】
図９（ａ）が示すように、尻栓２９の栓本体３０及び指掛部４０の素材として、柱状体６０が準備される。柱状体６０の材質は、ステンレス鋼又はアルミニウム合金が好ましい。柱状体６０は、前面６０ａ、後面６０ｂ、及び周面６０ｃを有する。柱状体６０は、たとえば、旋盤を用いて、次のように加工される。柱状体６０の軸方向は、尻栓２９の軸方向３４と一致する。
【００４９】
図９（ｂ）が示すように、後形成工程では、柱状体６０の後面６０ｂ及び周面６０ｃが切削される。これにより、柱状体６０の後端部６２が半球状に形成される。特に、後形成工程では、柱状体６０の後端部６２が切削されることによって、後面６０ｂ及び周面６０ｃが、滑らかに連続した凸曲面６２ａに形成される。凸曲面６２ａは、後端部６２の外面であり、後方に向けて凸となるように膨らんでいる。
【００５０】
図１０（ａ）が示すように、前形成工程では、柱状体６０の前部６１が加工される。これにより、前部６１の外周面に雄ネジが形成される。この加工により、柱状体６０の前部６１と区別される後端部６２が形成される。
【００５１】
図１０（ｂ）が示すように、穿孔工程では、柱状体６０に孔が開けられる。具体的には、柱状体６０の軸心を中心として、前面６０ａから軸方向３４に沿って後方へ穿孔される。これにより、柱状体６０の内部に凹部６３が形成される。この加工では、凹部６３が後端部６２内に進入しないように、当該柱状体６０が穿孔される。つまり、凹部６３は、上記前部６１内にのみ形成され、上記後端部６２内には形成されない。
【００５２】
これにより、柱状体６０は、有底筒状に加工される。このように上記前部６１が筒状に加工されることにより、上記栓本体３０が形成される。
【００５３】
図１０（ｃ）が示すように、切削工程では、柱状体６０の後端部６２のうち、２つの部位６５が切削される。これらの２つの部位６５は、柱状体６０の軸心を基準として対称に第２径方向３６に隔たっている。２つの部位６５は、それぞれ柱状体６０の第１径方向３５（紙面に垂直な方向）に沿って切削される。
【００５４】
切削工程の実行により、図１０（ｃ）に示されるように、上記２つの部位６５が上記後端部６２から削り取られて、後端部６２の中央部分６４が残される。その結果、中央部分６４によって指掛部４０が形成される。また、指掛部４０が形成されるのに伴って、栓本体３０の後端部にフランジ３２が形成される。
【００５５】
図１０（ｃ）が示すように、取付工程では、当接板５０が、上記栓本体３０の前端部に取り付けられる。以上の工程を経て、尻栓２９が形成される。
【００５６】
［尻栓２９の製造方法の作用、効果］
【００５７】
この尻栓２９の製造方法は、上記穿孔工程及び切削工程を備えている。かかる２つの工程を経て、栓本体３０及び指掛部４０が一体的に形成された尻栓２９が簡単に製造される。したがって、本製造方法によれば、単一の部品から構成された尻栓２９がコスト安価に製造される。なお、穿孔工程及び切削工程に関して、どちらの工程が先に実行されてもよい。
【００５８】
特に、上記尻栓２９の製造方法は、後形成工程を備えるので、指掛部４０の外面が曲面となる。したがって、尻栓２９の指掛部４０の機械的強度が向上する。もっとも、この後形成工程は省略されてもよい。
【００５９】
また、上記尻栓２９の製造方法は、前形成工程を備えるので、栓本体３０に雄ネジが形成される。したがって、元節２５に螺合可能な尻栓２９が製造され得る。もっとも、この前形成工程は省略されてもよく、その場合、尻栓２９は、上記元節２５に嵌め込まれる。
【００６０】
さらに、上記尻栓２９の製造方法は、取付工程を備えるので、尻栓２９に当接板５０が設けられる。したがって、釣竿２０の収納を容易に行うことが可能な尻栓２９が製造され得る。なお、この取付工程は省略されてもよい。
【符号の説明】
【００６１】
２０・・・釣竿
２５・・・元節
２７・・・元節本体
２７Ｐ・・・（元節本体の）後端
２８・・・グリップ部材
２９・・・尻栓
３０・・・栓本体
３０ａ・・・前端
３０ｂ・・・後端
３２・・・フランジ
４０・・・指掛部
【図１】
0006712109.tif 000002
【図２】
0006712109.tif 000003
【図３】
0006712109.tif 000004
【図４】
0006712109.tif 000005
【図５】
0006712109.tif 000006
【図６】
0006712109.tif 000007
【図７】
0006712109.tif 000008
【図８】
0006712109.tif 000009
【図９】
0006712109.tif 000010
【図１０】
0006712109.tif 000011